【手続補正書】
【提出日】平成28年1月13日(2016.1.13)
【手続補正１】
【補正対象書類名】明細書
【補正対象項目名】０００３
【補正方法】変更
【補正の内容】
【０００３】
【特許文献１】特開２０００−１７７６３１号公報
【手続補正２】
【補正対象書類名】明細書
【補正対象項目名】０００６
【補正方法】変更
【補正の内容】
【０００６】
請求項１記載の本発明に係る車両の側部構造は、車両の側部において車両上下方向に沿って延在され、水平方向に沿って切断された断面形状が車両幅方向外側を開口とするピラーインナパネルと、前記ピラーインナパネルの車両幅方向外側に配置され、水平方向に沿って切断された断面形状が車両幅方向内側を開口とするハット型を成し、当該ピラーインナパネルとの間で車両前後方向前端部及び車両前後方向後端部における接合部でそれぞれ互いに接合されて閉断面部を形成するピラーアウタレインフォースメントと、前記ピラーアウタレインフォースメントにおける車両上下方向下部に設けられ、前記接合部から車両幅方向外側へ向かってそれぞれ立ち上がる一対の縦壁部間に位置し、少なくとも一部が前記一対の縦壁部の外端部同士を繋ぐ仮想線よりも車両幅方向外側へ突出された突出部と、前記縦壁部における車両幅方向の外端部と前記突出部における車両幅方向の内端部との間に設けられた横壁部と、を有している。
【手続補正３】
【補正対象書類名】明細書
【補正対象項目名】０００９
【補正方法】変更
【補正の内容】
【０００９】
つまり、ピラーにおける車両幅方向外側に突出部が設けられている。そして、縦壁部における車両幅方向の外端部と突出部における車両幅方向の内端部との間に横壁部が設けられている。したがって、車両の側面衝突時（以下、車両の側突時）に当該突出部へ衝突荷重が入力されると、突出部を介して当該横壁部が車両幅方向内側へ向かって変形する。すなわち、当該突出部を起点としてピラーアウタレインフォースメントは車両幅方向内側へ向かって変形する。このように、本発明では、車両の側突時において、ピラーアウタレインフォースメントの縦壁部に直接衝突荷重が入力されないので、ピラーインナパネルとの接合部における接合剥がれを抑制することができる。
【手続補正４】
【補正対象書類名】明細書
【補正対象項目名】００１２
【補正方法】変更
【補正の内容】
【００１２】
請求項３記載の本発明に係る車両の側部構造は、請求項１又は請求項２記載の本発明に係る車両の側部構造において、前記横壁部が前記一対の縦壁部の外端部からそれぞれ車両幅方向内側へ向かって傾斜する傾斜部である。
【手続補正５】
【補正対象書類名】明細書
【補正対象項目名】００１５
【補正方法】変更
【補正の内容】
【００１５】
請求項４記載の本発明に係る車両の側部構造では、ビード部がそれぞれ形成されることによって、縦壁部から接合部に亘って補強することができる。
請求項５記載の本発明に係る車両の側部構造は、請求項１〜請求項４の何れか１項記載の本発明に係る車両の側部構造において、前記突出部は、車両前後方向の前部に位置する前壁部と、車両前後方向の後部に位置する後壁部と、車両前後方向に沿って形成された側壁部と、を含んで構成されている。
請求項６記載の本発明に係る車両の側部構造は、請求項５記載の本発明に係る車両の側部構造において、前記側壁部の車両前後方向の中央部において、車両幅方向の外側へ向かって突出する第１凸ビード部が前記突出部の車両上下方向に沿って形成されている。
請求項６記載の本発明に係る車両の側部構造では、車両の側突時において、第１凸ビード部を介して突出部の側壁部を車両幅方向内側へ向かって変形させ、横壁部を車両幅方向内側へ向かって変形させることになり、ピラーアウタレインフォースメントにおける変形モードがさらに安定する。
請求項７記載の本発明に係る車両の側部構造は、請求項５記載の本発明に係る車両の側部構造において、前記前壁部、前記側壁部及び前記後壁部に亘って前記突出部の外側へ突出する第２凸ビード部が設けられている。
請求項７記載の本発明に係る車両の側部構造では、突出部の前壁部、側壁部及び後壁部に亘って当該突出部の外側へ突出する第２凸ビード部を設けることにより、突出部の強度を上げ、車両の側突時において、突出部の形状を維持した状態で車両幅方向内側へ向かって当該突出部を変形させる。
【手続補正６】
【補正対象書類名】明細書
【補正対象項目名】００１９
【補正方法】変更
【補正の内容】
【００１９】
請求項４記載の本発明に係る車両の側部構造は、車両の側突時において、ピラーにおける接合部の剥がれをさらに抑制することができる、という優れた効果を有する。
請求項５記載の本発明に係る車両の側部構造は、車両の側突時において、ピラーアウタレインフォースメントの縦壁部に直接衝突荷重が入力されないようにすることができる、という優れた効果を有する。
請求項６記載の本発明に係る車両の側部構造は、車両の側突時において、ピラーアウタレインフォースメントにおける変形モードをさらに安定させることができる、という優れた効果を有する。
請求項７記載の本発明に係る車両の側部構造は、車両の側突時において、突出部の形状を維持した状態で車両幅方向内側へ向かって当該突出部を変形させることができる、という優れた効果を有する。
【手続補正７】
【補正対象書類名】明細書
【補正対象項目名】００５９
【補正方法】変更
【補正の内容】
【００５９】
１０      車体の側部構造
１２      車体
１６      フロントピラー（ピラー）
２０      センタピラー（ピラー）
２２      リヤピラー（ピラー）
２８      ピラーインナパネル
２８Ｃ    前側フランジ部（接合部）
２８Ｅ    後側フランジ部（接合部）
３０      ピラーアウタレインフォースメント
３０Ａ１  前側横壁部（横壁部）
３０Ａ２  後側横壁部（横壁部）
３０Ｂ    前側縦壁部（縦壁部）
３０Ｂ１  外端部（縦壁部における車両幅方向の外端部）
３０Ｃ    前側フランジ部（接合部）
３０Ｄ    後側縦壁部（縦壁部）
３０Ｄ１  外端部（縦壁部における車両幅方向の外端部）
３０Ｅ    後側フランジ部（接合部）
３４      閉断面部
４０      突出部
４０Ａ    前壁部（突出部）
４０Ｂ    後壁部（突出部）
４０Ｃ    側壁部（突出部）
４０Ａ１  内端部（突出部における車両幅方向の内端部）
４０Ｂ１  内端部（突出部における車両幅方向の内端部）
４２      凸ビード部（ビード部）
４４      凸ビード部（第１凸ビード部）
４６      凸ビード部（第２凸ビード部）
５０      傾斜壁（横壁部）
５２      傾斜壁（横壁部）
５４      突出部
Ｐ        仮想線
【手続補正８】
【補正対象書類名】特許請求の範囲
【補正対象項目名】全文
【補正方法】変更
【補正の内容】
【特許請求の範囲】
【請求項１】
車両の側部において車両上下方向に沿って延在され、水平方向に沿って切断された断面形状が車両幅方向外側を開口とするピラーインナパネルと、
前記ピラーインナパネルの車両幅方向外側に配置され、水平方向に沿って切断された断面形状が車両幅方向内側を開口とするハット型を成し、当該ピラーインナパネルとの間で車両前後方向前端部及び車両前後方向後端部における接合部でそれぞれ互いに接合されて閉断面部を形成するピラーアウタレインフォースメントと、
前記ピラーアウタレインフォースメントにおける車両上下方向下部に設けられ、前記接合部から車両幅方向外側へ向かってそれぞれ立ち上がる一対の縦壁部間に位置し、少なくとも一部が前記一対の縦壁部の外端部同士を繋ぐ仮想線よりも車両幅方向外側へ突出された突出部と、
前記縦壁部における車両幅方向の外端部と前記突出部における車両幅方向の内端部との間に設けられた横壁部と、
を有する車両の側部構造。
【請求項２】
前記突出部と前記一対の縦壁部との間に車両前後方向に沿って横壁部がそれぞれ設けられている請求項１に記載の車両の側部構造。
【請求項３】
前記横壁部が前記一対の縦壁部の外端部からそれぞれ車両幅方向内側へ向かって傾斜する傾斜部である請求項１又は請求項２に記載の車両の側部構造。
【請求項４】
前記一対の縦壁部から前記接合部に亘ってビード部がそれぞれ形成されている請求項１〜請求項３の何れか１項に記載の車両の側部構造。
【請求項５】
前記突出部は、
車両前後方向の前部に位置する前壁部と、
車両前後方向の後部に位置する後壁部と、
車両前後方向に沿って形成された側壁部と、
を含んで構成されている請求項１〜請求項４の何れか１項に記載の車両の側部構造。
【請求項６】
前記側壁部の車両前後方向の中央部において、車両幅方向の外側へ向かって突出する第１凸ビード部が前記突出部の車両上下方向に沿って形成されている請求項５に記載の車両の側部構造。
【請求項７】
前記前壁部、前記側壁部及び前記後壁部に亘って前記突出部の外側へ突出する第２凸ビード部が設けられている請求項５に記載の車両の側部構造。
【手続補正９】
【補正対象書類名】図面
【補正対象項目名】図１
【補正方法】変更
【補正の内容】
【図１】
2015058798.tif 000001
【手続補正１０】
【補正対象書類名】図面
【補正対象項目名】図２
【補正方法】変更
【補正の内容】
【図２】
2015058798.tif 000002
【手続補正１１】
【補正対象書類名】図面
【補正対象項目名】図５
【補正方法】変更
【補正の内容】
【図５】
2015058798.tif 000003
【手続補正１２】
【補正対象書類名】図面
【補正対象項目名】図６
【補正方法】変更
【補正の内容】
【図６】
2015058798.tif 000004